【手続補正書】
【提出日】平成19年10月15日(2007.10.15)
【手続補正１】
【補正対象書類名】明細書
【補正対象項目名】特許請求の範囲
【補正方法】変更
【補正の内容】
【特許請求の範囲】
【請求項１】  任意に操作者が選択した波形の部分であって順序付けされた値のシーケンスとしてメモリに記憶されたデジタル値を含む波形の部分を、オシログラフィ表示の中に特定し、呼び出す方法であって、
ａ）水平位置と水平スケーリングについての値を含むパラメータの集合を特定することによって、操作者が、関心対象である任意の波形部分を選択するステップであって、前記水平位置と水平スケーリングについての値は、どのデジタル値が前記表示内に波形画像を作成するために使用されるのかを決定するものであり、前記操作者によって選択された任意の波形部分は、波形全体に満たないものである、ステップと、
ｂ）前記ステップａ）において特定された水平位置及び水平スケーリングパラメータの集合に、順序ラベルを関連付けるステップと、
ｃ）前記ステップｂ）における、前記順序ラベルと前記ステップａ）において特定された水平位置及び水平スケーリングパラメータの集合との関連性をメモリに記憶するステップと、
ｄ）ステップｃ）に続いて、ステップａ）で特定された関心対象である任意の波形位置と異なる波形画像を表示するステップと、
ｅ）ステップａ）〜ｄ）に続いて、ステップｂ）で関連付けられ、その関連性がステップｃ）で記憶された少なくとも１つの順序ラベルを示すメニューから、操作者が順序ラベルを選択するステップと、
ｆ）ステップｅ）に応答して、ステップａ）における水平位置と水平スケーリングパラメータの集合によって特定される、操作者が選択した任意の波形部分であって、ステップｅ）でメニューから選択された前記順序ラベルに関連付けられた集合における水平位置及び水平スケーリングパラメータの前記値を再呼び出しすることによって、ステップｂ）の順序ラベルに関連付けられた波形部分を表示するステップを含む、方法。
【請求項２】  前記水平位置及び水平スケーリングパラメータがさらに、垂直スケーリングパラメータを備える、請求項１に記載の方法。
【請求項３】  前記ステップａ）〜ｃ）が、複数回にわたって、操作者が選択した関心対象である任意の波形部分であって対応する複数の異なる波形部分について繰り返され、ステップｅ）のメニューが、操作者が選択した関心対象である任意の複数の異なる波形部分のそれぞれについて、他とは異なる順序ラベルの入力を含む、請求項１に記載の方法。
【請求項４】  前記ステップｂ）が、前記順序ラベルにコメントテキストを関連付けるステップを含み、前記ステップｃ）が前記コメントテキストを記憶するステップを含み、前記ステップｅ）が、更に前記メニューから選ばれた順序ラベルと関連付けられた前記コメントテキストを表示するステップを含む、請求項１に記載の波形表示方法。
【請求項５】  前記デジタル値が、電子信号についてデジタル化した値であり、それらが記憶される前記メモリが、デジタルオシロスコープのメモリである、請求項１に記載の波形表示方法。
【請求項６】  前記波形全体の象徴的表現を表示するステップを更に含み、その上の位置に、前記ステップｂ）の順序ラベルと同じラベルが付けられた少なくとも１つの表示記号が含まれ、前記象徴的表現の上の少なくとも１つのラベル付けされた表示記号の位置が、前記対応する操作者が選択した関心対象である任意の波形部分の前記全体波形に沿った相対的位置に対応する、請求項１に記載の波形表示方法。
【請求項７】  ＧＵＩを組み込むステップを更に含み、前記ステップｅ）が、マウスに関連づけられたスクリーンポインタがラベル付けされた表示記号近くにある状態で、前記マウスをクリックするステップを含む、請求項６に記載の波形表示方法。
【請求項８】  前記ＧＵＩが、前記マウスクリックに先立って前記ラベル付けされた表示記号に関連するコメントテキストを表示する、請求項７に記載の波形表示方法。
【請求項９】  処理対象信号の一連の値を表す順序付けられたデジタル値を含むメモリと、
前記メモリと結合し、装置の操作者からのコマンドであって前記処理信号の波形のどの部分が表示されるべきかを決定するコマンドを実行するユーザインタフェースと、
前記ユーザインタフェース及び前記メモリに結合し、前記ユーザインタフェースを介して入力された水平位置及び水平スケーリングパラメータに応答して、前記順序付けられたデジタル値の適正なサブセットであって操作者によって選択された異なる任意のサブセットの可視画像を作成するディスプレイと、
前記ユーザインタフェース及び前記ディスプレイに結合したブックマークコントローラであって、前記ユーザインタフェースを介して入力されたコマンドに応答して、ａ）前記操作者によって選択された異なる任意の適正なサブセットの前記可視画像にそれぞれ関連付けられた、前記水平位置及び水平スケーリングパラメータの集合をブックマークテーブルに記録することによって、ブックマークを作成し、ｂ）他と異なる順序ラベルを作成された各ブックマークに関連付けるブックマークコントローラを備え、
該ブックマークコントローラは、ユーザインタフェースを介して入力されたコマンドであってブックマークについて順序ラベルを参照し参照されたブックマークにアクセスするコマンドに応答して、前記ディスプレイに、ａ）アクセスされた前記参照されたブックマークに関連付けられた前記集合の前記水平位置及び水平スケーリングパラメータを呼び出させ、ｂ）前記ディスプレイ上に、関連するアクセスされたブックマークについて任意の操作者が選択したサブセットの前記対応する可視画像を生成する、波形表示装置。
【請求項１０】  前記ブックマークコントローラによって記録され再呼び出しされた前記パラメータの集合がさらに垂直スケーリングパラメータを含む、請求項９に記載の波形表示装置。
【請求項１１】  前記ユーザインタフェースが、プログラムメモリに結合されたマイクロプロセッサが実行するプログラムコードによって実現されるＧＵＩを更に含む、請求項９に記載の波形表示装置。
【請求項１２】  前記ユーザインタフェースが、１次元における範囲が前記メモリの前記一連の値全体を表す象徴的波形シンボルを含み、前記ブックマークコントローラによって作成されたブックマークの各々が、そのブックマークについて前記関連付けられた他と異なる順序ラベルを含む対応するアイコンにより表され、ブックマークについての前記アイコンが、前記象徴的波形シンボルの位置付近で前記一連の値の中におけるそのブックマークについての可視画像位置に対応する位置に表示される、請求項１１に記載の波形表示装置。
【請求項１３】  前記アイコンには、前記対応するブックマークに関連付けられたパラメータの前記値を示す注釈が付けられる、請求項１２に記載の波形表示装置。
【請求項１４】  ブックマークが、前記メモリ内の前記順序付けられたデジタル値から、前記ディスプレイによって作成された波形トレースに沿った近い位置に表示される関連付けられたアイコンにより表され、この位置がそれらのブックマークに行くことにより作成される前記可視画像の、トレース中における位置に対応する、請求項９に記載の波形表示装置。
【請求項１５】  前記ブックマークテーブルに記録されたブックマークについて前記パラメータの間にコメントが含まれる、請求項９に記載の波形表示装置。
【請求項１６】  前記ブックマークが選択された形状のアイコンによって表現され、前記ブックマークテーブルに記録された前記パラメータが、アイコンの選択された形状の表示を含む、請求項９に記載の波形表示装置。
【請求項１７】  更にマウスを含み、前記ブックマークコントローラがブックマークに対応するアイコン上におけるマウスクリックに応答して、そのブックマークにアクセスする請求項１２又は１４に記載の波形表示装置。
【請求項１８】  更にマウスを含み、前記ブックマークコントローラが、ブックマークに関連付けられたアイコンをマウスでドラッグすることに応答してそのブックマークの水平位置を変更する請求項１２又は１４に記載の波形表示装置。
【請求項１９】  ブックマークに行くコマンドが、アクセスされるブックマークについて前記ブックマークテーブルの中に記録される前記水平スケーリングの前記再呼び出しを妨げることによって、既存の水平スケーリングを有効のまま残す、請求項９に記載の波形表示装置。
【請求項２０】  デジタルオシロスコープを備える、請求項９に記載の波形表示装置。